(57)【要約】  楽器（Ｓ１、Ｓ２、Ｓ３）の本体（Ｃ１、Ｃ２、Ｃ３）を受容することが可能なハウジング（４）を定義する支持手段（３；１０２；２０２）を備えた支持面（Ａ１；Ａ２；Ａ３）に配置される主に垂直に配置されたフレーム（２；１０１；２０１）からなる、弦楽器（Ｓ１；Ｓ２；Ｓ３）のための支持要素（１；１００；２００）。  前記支持手段（３；１０２；２０２）の各々は、顎板（５、６；１０３、１０４）間の距離を連続的な方法で変更することが可能である調整手段（７）で一緒に結合される相互に対向する２、３の顎板（５、６；１０３、１０４）からなる。【選択図】図１
2007523379.tif 000002
【特許請求の範囲】
【請求項１】
支持面（Ａ１；Ａ２；Ａ３）に配置されるのに適切な主に垂直に配置されたフレーム（２；１０１；２０１）からなり、前記楽器（Ｓ１；Ｓ２；Ｓ３）の本体（Ｃ１；Ｃ２；Ｃ３）を受容することが可能なハウジング（４）を定義する支持手段（３；１０２；２０２）を備えた弦楽器（Ｓ１；Ｓ２；Ｓ３）のための支持要素（１；１００；２００）であって、前記支持手段の（３；１０２；２０２）の各々は、顎板（５、６；１０３、１０４）の間の距離で連続的に変更が可能な調整手段（７）を通じて一緒に結合される相互に対向する２、３の顎板（５、６；１０３、１０４）からなることにおいて特徴付けられる支持装置。
【請求項２】
前記顎板（５、６；１０３、１０４）の各々は、摺動して前記支持手段（３；１０２；２０２）に連結することにおいて特徴付けられる請求項１に記載の支持要素（１；１００；２００）。
【請求項３】
前記支持手段（３；１０２；２０２）の各々は、それが連結される前記フレーム（２；１０１；２０１）から突出するアーム（８、９；１０６、１０７；２０３、２０４）からなることにおいて特徴付けられる請求項１に記載の支持要素（１；１００；２００）。
【請求項４】
前記アーム（８、９；１０６、１０７；２０３、２０４）は、第１の継手手段（１０）により前記フレーム（２；１０１；２０１）に結合される長手方向の要素からなることにおいて特徴付けられる請求項３に記載の支持要素（１；１００；２００）。
【請求項５】
前記顎板（５、６；１０３、１０４）の各々は、一方の側で前記ハウジング（４）に境を接している凹状表面（５ａ、６ａ）を定義する成形された本体からなることにおいて特徴付けられる請求項１に記載の支持要素（１；１００；２００）。
【請求項６】
前記調整手段（７）は、前記アーム（８、９；１０６、１０７；２０３、２０４）の上部表面（８ａ）に得られる線状のガイド（１１）、前記顎板（５、６；１０３、１０４）の各々の下部の表面（６ｂ）に得られ、前記線状のガイド（１１）に挿入される線状のカウンターガイド（１２）からなることにおいて特徴付けられる請求項３に記載の支持要素（１；１００；２００）。
【請求項７】
前記調整手段（７）は、第１の前記顎板に対向する第２の前記顎板（５、６；１０３、１０４）において得られる止まり穴（１４）に摺動して挿入される前記第１の顎板（５、６；１０３、１０４）に適用されるピン（１３）をさらに備えることにおいて特徴付けられる請求項６に記載の支持要素（１；１００；２００）。
【請求項８】
前記線状のガイド（１１）は、本質的にＣ型の横断する断面外形を有することにおいて特徴付けられる請求項６に記載の支持要素（１；１００；２００）。
【請求項９】
前記線状のカウンターガイド（１２）は、本質的にＴ型の横断する断面外形を有することにおいて特徴付けられる請求項６に記載の支持要素（１；１００；２００）。
【請求項１０】
前記第１の継手手段（１０）は、前記フレーム（２；１０１；２０１）と止め金で連結された止め金（１５；１０８）からなることにおいて特徴付けられる請求項４に記載の支持要素（１；１００；２００）。
【請求項１１】
前記アーム（８、９；１０６、１０７；２０３、２０４）は、前記止め金（１５；１０８）において得られる貫通孔（１７）に挿入されるピン（１６）を一端（８ｂ）で備えることにおいて特徴付けられる請求項１０に記載の支持要素（１；１００；２００）。
【請求項１２】
前記ピン（１６）は、前記留め金（１５；１０８）から前記アーム（８、９；１０６、１０７；２０３、２０４）の偶発的な分離を避けるため、前記貫通孔（１７）の内部壁において作成される突出した部分に対して止め金が配置される第１の相互に対向するつまみ（１８、１９）の対を突き出していることにおいて特徴付けられる請求項１１に記載の支持要素（１；１００；２００）。
【請求項１３】
前記顎板（５、６；１０３、１０４）の各々は、前記フレーム（２；１０１；２０１）に、前記楽器（Ｓ１；Ｓ２；Ｓ３）を安定して保証する前記ピン（１６）によって決定される回転軸（Ｚ）のまわりを回転することによって前記楽器（Ｓ１；Ｓ２；Ｓ３）の前記本体（Ｃ１；Ｃ２；Ｃ３）に対して配置されることにおいて特徴付けられる請求項１１に記載の支持要素（１；１００；２００）。
【請求項１４】
前記フレーム（２；１０１；２０１）は、継手手段（２２）によって、相互に連結される２つの長手方向の棒（２０、２１；２０６、２０７）から構成されることにおいて特徴付けられる請求項１０に記載の支持要素（１；１００；２００）。
【請求項１５】
前記長手方向の棒（２０、２１；２０６、２０７）の各々は、前記長手方向の棒（２０、２１；２０６、２０７）の各々の少なくとも長さ部分に配置され、各々止め金が挿入された止め金（１５；１０８）を受容することが可能な複数の貫通孔（２３；２０５）を備えることにおいて特徴付けられる請求項１４に記載の支持要素（１；１００；２００）。
【請求項１６】
前記継手手段（２２）は、相互に貫通するため、各々がそれぞれ櫛形の長手方向の棒（２０、２１；２０６、２０７）の第２端部（２０ｂ、２１ｂ）に提供される相互に補完的な側面を作られた２、３の付加物（２４、２５）からなることにおいて特徴付けられる請求項１４に記載の支持要素（１；１００；２００）。
【請求項１７】
各々の前記側面を作られた付加物（２４、２５）は、前記側面を作られた付加物（２４、２５）のもう一方に属する前記櫛の要素（３０、３１、３２、３３）の横方向の表面にできた溝（２８、２９）に摺動して連結する前記櫛の２つの隣接する要素（３０、３１、３２、３３）の間で配置されるピン（２６、２７）からなることにおいて特徴付けられる請求項１６に記載の支持要素（１；１００；２００）。
【請求項１８】
前記溝（２８、２９）は、外側縁部（２４ａ）から、前記長手方向の棒（２０、２１；２０６、２０７）の連結のための前記ピン（２６、２７）が摺動する前記側面を作られた付加物（２４、２５）の各々の中央の部分（２４ｂ）まで延長する本質的に線状の部分（２９ａ）、および、各々の前記側面を作られた付加物（２４、２５）の前記中央の部分（２４ｂ）において作成され、０°および９０°から本質的になる角度（β）にしたがって前記長手方向の棒（２０、２１；２０６、２０７）の相互の開口を可能にするために前記ピン（２６、２７）がその中で回転する本質的に円形の形状の拡大された部分（２９ｂ）からなることにおいて特徴付けられる請求項１７に記載の支持要素（１；１００；２００）。
【請求項１９】
前記拡大された部分（２９ｂ）は、前記拡大された部分（２９ｂ）の周辺部分（１２９ｂ）に沿って作成されるステップ（３４）を備えることにおいて特徴付けられる請求項１８に記載の支持要素（１；１００；２００）。
【請求項２０】
前記ステップ（３４）は、本質的に０°および９０°から可変の外周の弧形を記載し、２つの対応する壁（３５、３６）の間で構成されることにおいて特徴付けられる請求項１９に記載の支持要素（１；１００；２００）。
【請求項２１】
前記ステップ（３４）は、前記長手方向の棒（２０、２１；２０６、２０７）間の開口を異なる位置において遮断するため、前記対向する側面を作られた付加物（２５）に属する前記ピン（２７）に隣接して配置される停止部材（３８）に連結する複数のリブ（３７）を備えることにおいて特徴付けられる請求項１９に記載の支持要素（１；１００；２００）。
【請求項２２】
前記長手方向の棒（２０、２１；２０６、２０７）の各々は、第２の継手手段（４１）によって連結される前記支持面（Ａ１；Ａ２；Ａ３）と接触して配置されるために適切な本質的に水平に配置されたベース（３９、４０）上にもたれることにおいて特徴付けられる請求項１４に記載の支持要素（１；１００；２００）。
【請求項２３】
前記第２の継手手段（４１）は、前記ベース（３９、４０）の中間部（４０ａ）に存在する空洞（４４）においてできた壁（４４ａ）において止め金で連結された前記長手方向の棒（２０、２１；２０６、２０７）の各々の第１の端部（２０ａ、２１ａ）で配置する第２の相互に対向するつまみ（４２、４３）の対からなることにおいて特徴付けられる請求項２２に記載の支持要素（１；１００；２００）。
【請求項２４】
前記長手方向の棒（２０、２１；２０６、２０７）の各々は、前記フレーム（２；１０１；２０１）上での前記楽器（Ｓ１；Ｓ２；Ｓ３）の傾斜した支持のため、垂直の基準軸（Ｙ）で鋭角（α）を定義する長手方向の軸（Ｙ’）にしたがって配置されることにおいて特徴付けられる請求項２２に記載の支持要素（１；１００；２００）。
【請求項２５】
前記ベース（３９、４０）は、前記支持面（Ａ１；Ａ２；Ａ３）上に前記フレーム（２；１０１；２０１）の正しくかつ安定性のある支持を付与するため、前記ベース（３９、４０）の前記対向端部（４０ｂ、４０ｃ）に配置される側面を作られたフィート（４８、４９）を備えることにおいて特徴付けられる請求項２２に記載の支持要素（１；１００；２００）。
【請求項２６】
前記フレーム（２；１０１；２０１）および前記支持手段（３；１０２；２０２）は、プラスチック材料でできていることにおいて特徴付けられる請求項１に記載の支持要素（１；１００；２００）。
【請求項２７】
図と共に説明されたものと本質的に一致する支持要素。
【発明の詳細な説明】
【技術分野】
【０００１】
本発明は、平面的な外形を有する本体を備えた、特にエレキまたはアコースティック・ギター、バイオリンなどの弦楽器のための支持要素に関する。
【背景技術】
【０００２】
音楽バンドの構成部員または弦楽器の演奏に熱心な人は、正しくかつ適切な方法で楽器を配置するために支持要素を使用することが知られている。
【０００３】
より多い弦楽器での音楽要素を有する音楽バンドが、コンサートの間または住宅や建物の控え室で演奏している間、支持要素は一般にスタンドで配置される。
【０００４】
現在入手できる弦楽器のための支持要素は、大部分は金属材料でできているが、それらの一部には完全にプラスチック材料で作成されるものもある。
【０００５】
それらは各々使用構成において、主に垂直方向に広げられるフレームを備える。
【０００６】
支持面上のその配置によって、本質的に二等辺三角形の形状への類似性を生じる。
【０００７】
フレームは、関節手段によってそれらの端部の１つで互いに連結し、使用の必要条件により長手方向のバーの相互開閉を可能にする２つの長手方向のバーからなる。
【０００８】
さらにフレームは、構造上の形態のため、弦楽器の本体を収容するのを可能にする支持手段からなるので、地上でスライドしない。
【０００９】
支持手段は、フレームの各々の長手方向のバーの同じ側から突設する２、３のアームを本質的に備える。
【００１０】
実施例によれば、支持要素はさらに、適切にギターまたは異なる形状の本体を有する類似した楽器を支持要素上に配置するために用いるため、アームのみ、またはアームとフレームのどちらかに連結される調整手段を備える。
【００１１】
第１の調節手段は、異なるサイズの本体を有する弦楽器を配置するため、長手方向のバーの相互の開口によって提供される。
【００１２】
他の調節手段は、いくつかのポイントにおいてフレームに連結することができ、支持面から異なる距離で配置されるアームによって提供される。
【００１３】
実際、周知のいくつかの実施例によれば、フレームの各々の長手方向のバーは、その長さの全体または部分を横切って、アームの端部が挿入される複数の貫通孔を備える。
【００１４】
前記アームは、例えばノブによりユーザに取り扱われることができるネジのような周知のタイプの固定手段によってフレームで固定的に締め付けられる。
【００１５】
このように、ユーザは、いわゆる「ヘビメタ」ジャンルを演奏する音楽バンドによって使われるエレキギターの類のような不規則に成形された本体を有する弦楽器をも支持要素上に配置することができる。
【００１６】
ユーザは、それぞれの長手方向のバーの貫通孔のうちの１つの内部でアームのうちの１つを挿入し、支持面から所定の距離で前記アームを配置し、他の長手方向のバーの貫通孔のうちの１つの内部の他のアームを配置し、支持面から所定の距離でこの他のアームをまた配置する。
【発明の開示】
【発明が解決しようとする課題】
【００１７】
しかしながら、周知のタイプの弦楽器のための支持要素は、多少の不便を有する。
第１の不便は、これらの支持要素上においてそれらの本体の幅または厚みから独立していかなる種類の弦楽器を配置することができないという事実に関連がある。
【００１８】
実際には、支持要素の支持手段は、アコースティック・ギターまたはバイオリンのような提供された他の種の弦楽器と異なるエレキギターのようなある種の弦楽器のための特定の配列を有する。
【００１９】
本体の幅がいかなる楽器においても異なるので、これは起こる。
【００２０】
それゆえに、従来技術は特にエレキギターのための支持手段からなる支持要素へのアコースティック・ギターの配置を可能にしない。
【００２１】
これに反して、アコースティック・ギターの配置のために提供される支持手段を有する支持要素にエレキギターを配置することは可能であるが、この方法では、エレキギターの支持体は、むしろグラグラして不安定である。
【００２２】
他方では、アコースティックまたはエレキギター、バイオリンまたは、類似したもののようにいかなる弦楽器の支持要素上での支持をも可能にする１つ以上のハウジングを形成するように形成されたアームを用いて、この不便を解決する目的の支持要素は、購入可能である。
【００２３】
しかしながら、従来技術に関して良好な進化を表すにもかかわらず、この解決法さえ、支持される本体のギターの幅または厚みによる支持手段の連続的な調整を可能にしない。
【００２４】
実際には、金属であるフレームと同じ材料で作成された支持手段は、そのフレームに固定されるので、それらの位置は、支持要素で支えられる楽器の本体によって、修正可能ではない。
【００２５】
結果として、支持要素に配置されるある弦楽器が完全にそれに固定されないことは、しばしば起こり、それにより、前記要素に対するまたは前記要素を支持する支持面に対する単純な衝突により楽器の落下が可能になる。
【００２６】
従来技術の他の不便は、上述した固定手段による長手方向の棒の上での所望の高さのアーム調整は、むしろ複雑な手動操作の実行を必要とするという事実である。
【００２７】
これは、主に周知のタイプの調整手段を備える支持要素は、それらの構成要素が一般に曲げられた連結手段によって相互に連結された金属材料でできているという事実のためである。
【課題を解決するための手段】
【００２８】
本発明の目的は、上述した不便を解決することである。
【００２９】
特に、その本体の形状および幅から独立して、従来技術のいかなる種の弦楽器に関してより安全な方法において支持することが可能な万能の支持要素を提供することは、本発明の主な目的である。
【００３０】
したがって、支えられるアコースティックおよびエレキギター、バイオリンその他の弦楽器の本体の可変部分の幅次第で支持手段の連続的な調整を可能にする万能の支持要素を提供することは、本発明の目的である。
【００３１】
本発明のさらなる目的は、上述した調整が周知のタイプの同等の装置に関してより容易かつ高速であることである。
【００３２】
上述した目的は、主請求項の内容によれば、前記楽器の本体を受容するためのハウジングを定義する支持手段を有する支持面に配置されることが可能な主に垂直に配置されたフレームからなる弦楽器の支持要素によって達成され、ここにおいて、支持手段の各々は、連続的な方法で顎板間の距離を変更することが可能である調整手段によって一緒に結合される相互に対向する２、３の顎板からなる。
【発明の効果】
【００３３】
都合よく、発明は、音楽家のようなユーザが、弦楽器の支持体を支持要素に配置される本体の形状に適応させることができる実用的かつ容易な方法を可能にする。
【００３４】
より都合よく、支持手段に利用できる調整手段は、楽器本体の形状および厚みに連続的に適応するので、いかなる弦楽器も、発明の支持要素上で安全かつ安定性のある方法で配置される。
【００３５】
これは、発明が類似している周知のタイプの最近の同等の装置に関する相当な改良点である。
【００３６】
なお都合よく、発明の支持要素は、製造するのに容易であり、容易に購入できる構成要素からなる。
【００３７】
さらに、発明の支持要素は、ほぼ完全にプラスチック部材でできていて、むしろ都合よい生産コストを有する。
【００３８】
さらにこの側面は、発明の支持要素に最適な軽量性機能を与えるのに関与し、主に従来技術の類似した支持要素からそれを区別する。
【発明を実施するための最良の形態】
【００３９】
本発明の目的である支持要素は、数字１によって一般に示され、Ｓ１で一般に示される弦楽器を支持し、特にクラッシックまたはより適切に、アコースティック・ギターを表して図１において示される。
【００４０】
支持要素１は、楽器Ｓ１の本体Ｃ１を受容するのに適切なハウジング４を定義する数字３で一般に示される支持手段を備える支持面Ａ１に配置される主に垂直に配置されたフレーム２からなる。
【００４１】
発明によると、各々の支持手段３は、調整手段によって一緒に結合され、一般に数字７で示される、連続的な方法で顎板５、６間の距離の変更が可能な相互に対向する２、３の顎板５、６からなる。
【００４２】
フレーム２および支持手段３は、次に説明されるように製造業者のための経済的な利点、および、支持要素１のユーザのための簡便性を提供して、構成要素の特定の構造上のトリックを得るのを可能にする好ましくはプラスチック材料でできている。
【００４３】
図２に関して、各々の支持手段３には、それが連結されるフレーム２から突き出ているアーム８、９が設けられていることが指摘される。
【００４４】
各々の顎板５、６は、それぞれのアーム８、９に摺動して連結し、凹状表面５ａ、６ａを定義する成形された本体からなり、好ましくは、ゴムで作成され、上述したハウジング４の一方の側面に境を接する。
【００４５】
今後、および別に詳述されるまで、発明の説明は、扱われる議論がアーム９にも全く有効かつ適用可能である意図を有し支持手段３のみのアーム８に関連があることが指摘される。
【００４６】
常に図２にあるが、特に図２ａの拡大された調整手段７について、それらは、アーム８の上部表面８ａで得られる線状のガイド１１、および、顎板６の下部の表面６ｂに得られる線状のガイド１１に挿入される線状のカウンターガイド１２からなることに注意するべきである。
【００４７】
以前に顎板６について説明したものが同様に線状のガイド１１に挿入される顎板５にも有効であることは、明らかである。
【００４８】
好ましくは、しかし必然的ではないが、線状のガイド１１は、本質的にＣ型の横断する断面外形を有し、一方で、線状のカウンターガイド１２は、線状のガイド１１の外形に適応する本質的にＴ型の横断する断面外形を有する。
【００４９】
調整手段７は、第１の顎板５に対向する顎板６において得られる止まり穴１４に摺動して挿入される顎板５に適用されるピン１３をさらに備える。
【００５０】
これによって記載される好適な実施例によれば、アーム８は、一般に数１０で示され、フレーム２にはめられて連結された締金１５を備えた第１の継手手段によってフレーム２に適用される長手方向の要素からなる。
【００５１】
より詳しくは、アーム８は、一端８ｂにおいて締金１５において得られる貫通孔１７に挿入されるピン１６を備える。
【００５２】
貫通孔１７の内部壁において作成される、突出した部分に対してはめられる第１の相互に対向したつまみ１８、１９の対は、添付の図面に図示されないが、締金１５からアーム８の偶発的な分離を避けるために、ピン１６から突き出ている。
【００５３】
アーム８およびフレーム２間のリンクがどのように得られるかについてよりよく理解するため、前記フレーム２は、数字２２によって一般に示される継手手段によって、相互に連結される２つの長手方向の棒２０、２１からなることを示すことができる。
【００５４】
各々の長手方向の棒２０、２１は、各々の前記長手方向の棒２０、２１の全体の長さに配置され、各々止め金が挿入された締金１５を受容することが可能である一般に数字２３によって示される複数の貫通孔を備える。
【００５５】
この締金１５は、それぞれの長手方向の棒２０、２１の外部壁２０ｃ、２１ｃと止め金で連結された２、３のフィン４６、４７で外側に提供される。
【００５６】
このように止め金１５は、アーム８が同じ留め金１５よってすでに放される場合だけ、長手方向の棒２０から偶然にでも分離されることができる。
【００５７】
それは、本質的に連結に関係している構成要素がプラスチック材料でできているという事実のため、支持手段３および支持要素１のフレーム２間の安全な連結に関する利点という結果を導く。
【００５８】
上述したプラスチック材料の使用は、実際には相互に連結される要素間の急速な挿入を提供する可撓性の部分が製造されるのを可能にする。
【００５９】
さらに、ユーザは、長手方向の棒２０からアーム８を放すように進行する前に支持要素１から楽器Ｓ１を取り去らなければならず、したがって、楽器Ｓ１がまだ支持要素１に配置される間の危険な調整動作の実行を避ける。
【００６０】
その上、貫通孔２３は支持面Ａ１から異なる高さで、支持要素１によって楽器Ｓ１に適応する支持体を提供するため、アーム８およびその関係する留め金１５の配置を可能にする。
【００６１】
これは、以下に説明されるように、楽器の形状に関して実行される。
【００６２】
本発明の別の実施例によれば、上記した貫通孔は、支持手段の高さにおけるいずれにしろ十分な調整力を付与するため、各々の長手方向の棒の一部の全体の長さのちょうど上に得られることができた。
【００６３】
図２はさらに、各々の長手方向の棒２０、２１は、支持面Ａ１と接触して配置され、数字４１によって一般に示される第２の継手手段によって連結される対応している本質的に水平に配置されたベース３９、４０にもたれることを示す。
【００６４】
詳細には、第２の継手手段４１は、ベース３９、４０の本質的に中間の部分３９ａ、４０ａにおいてできた空洞４４、４５において得られた壁において止め金で連結された各々の長手方向の棒２０、２１の第１の端部２０ａ、２１ａで配置された第２の相互に対向するつまみ４２、４３の対からなる。
【００６５】
前記の止め金の連結は、長手方向の棒２１のみのために図３においてよりよく示され、ここで、第２のつまみ４２、４３は、空洞４４において得られる壁４４ａに対して、取り外し可能であるが、安定性のある方法で止め金が配置されることがわかる。
【００６６】
次の図４は、各々の長手方向の棒２０、２１は、図示されないが、フレーム２上での楽器Ｓ１の傾斜した支持を可能にするため、垂直の基準軸Ｙで鋭角αを定義する長手方向の軸Ｙ’にしたがって配置されることを示す。
【００６７】
図２および図４の両方において、ベース４０は、支持面Ａ１上のフレーム２の正しくかつ安定性のある支持を与えるように用いるため、ベース４０の対向端部４０ｂ、４０ｃに配置される形成されたフィート４８、４９を備え、ゴムでできていることがさらに強調される。
【００６８】
支持要素１の他のベース３９に前記構造上の細部がまた存在することは、明らかでなければならない。
【００６９】
図２における長手方向の棒２０、２１間の継手手段２２に関して、相互に補完的に形成された２、３の付加物２４、２５からなり、相互に貫通するように各々が櫛の形の長手方向の棒２０、２１の第２端部２０ｂ、２１ｂにそれぞれ提供されることが示される。
【００７０】
図５から７まで特に図６において示されるように、各々の側面が作成された付加物２４、２５は、対応するピン２６、２７を有する。
【００７１】
ピン２６は、数字３０および３１によって示される側面を作られた付加物２４の櫛の２つの隣接する要素の間で配置され、一方でピン２７は、数字３２および３３によって示される側面を作られた付加物２５の櫛の２つの隣接する要素の間で配置される。
【００７２】
長手方向の棒２０、２１が相互に連結されるステップにおいて、ピン２６は、側面を作られた付加物２５に属している櫛の要素３３の横方向の表面に作成される溝２８に摺動して連結し、一方でピン２７は、側面を作られた付加物２４に属している要素３０の横方向の表面に作成される溝２９に摺動して連結する。
【００７３】
溝２９は、側面を作られた付加物２５のピン２７が摺動する外側縁部２４ａから側面を作られた付加物２４の中心部２４ｂに延長する本質的に線状の部分２９ａからなる。
【００７４】
溝２９は、その内部でピン２７が、０°および９０°から本質的になる角度にしたがって長手方向の棒２０、２１の相互の開口を可能にするように回転する側面を作られた付加物２４の中心部２４ｂにおいて得られる本質的に円形の形状の拡大された部分２９ｂをさらに備える。
【００７５】
前に側面を作られた付加物２４において作成される溝２９について説明したことはまた、側面を作られた付加物２５において作成される溝２８においても有効であることはよく理解されなければならない。
【００７６】
溝２８、２９の両方はそれぞれ、ピン２７、２６に向けられる対応している櫛要素３３、３０の横方向の表面に作成される。
【００７７】
溝２９の拡大された部分２９ｂは、拡大された部分２９ｂの周辺部分１２９ｂに沿って得られたステップ３４を備える。
【００７８】
ステップ３４は、０°および９０°から本質的に可変の外周の弧形を記載し、それぞれ、数字３５および３６によって示される２つの対応する壁の間で構成される。
【００７９】
さらに、ステップ３４は、対向して側面を作られた付加物２５に属しているピン２７に隣接して配置する停止部材３８が、支持要素１に配置される弦楽器の本体寸法次第で、異なる位置における長手方向の棒２０、２１間の開口を遮断するために連結される、数字３７によって一般に示される複数のリブを備える。
【００８０】
タペット壁３５、３６と接触して配置される場合、停止部材３８はさらに、それらの密閉（β＝０°）位置および完全に開いた（β＝９０°）位置において、長手方向の棒２０、２１の相互の動きを遮断するために使われる。
【００８１】
継手手段２２の形状は、わずかな開口角度βさえもそれらの間で形成される場合、長手方向の棒２０、２１の強制的または偶発的な分離を妨げる。
【００８２】
実際には、長手方向の棒２０、２１が図８の構造においてある場合、ユーザは、例えば支持要素１を格納または容易に輸送するため、都合よくそれらを分離することができる。
【００８３】
これに反して、図９の構造のように、鋭い開口角度βを得てユーザが部分的および相互に開けられる、または完全に開けられる長手方向の棒２０、２１を配置する場合であっても、図１０においてたとえば示されるように、本質的に正しい開口角度βを記載し、彼は、支持要素１の機能を回復不能なほど損なう場合における力の適用を除いてそれらを分離することができない。
【００８４】
この側面は、楽器の経済的価値を考慮して無視できない利点を提供して、支持要素上の弦楽器の支持を安定かつ安全にするために同時に起こる発明の特徴的な他の要素である。
【００８５】
動作可能なように、図９または１０に示すように、ユーザは、必要性によって開けられる長手方向の棒２０、２１を有して、それゆえに、アコースティック・ギター本体Ｃ１のような楽器Ｓ１の形状の機能として、支持要素１を支持面Ａ１に配置する。
【００８６】
それから、支持面Ａ１の同じ高さで、止め金１５を貫通孔２３のうちの１つに最初に挿入し、そして前記止め金１５内部のピン１６に挿入してアーム８、９をそれぞれの長手方向の棒２０、２１に連結する。
【００８７】
最後に、ユーザは、相互の距離に各々のアーム８、９の顎板５、６を配置し、本体Ｃ１を受ける準備ができているハウジング４を見て調整手段７に作用する。
【００８８】
この点で、精密かつ安全な方法において支持要素１に楽器Ｓ１を配置し、支持手段３上で継手手段２２においてフレーム２に対して本体Ｃ１を配置する。
【００８９】
図１１において、一般に数字１００で示され、支持面Ａ２に配置される発明の支持要素は、一般にＳ２で示され、通常の形状および「ヘビメタバンド」の特定かつ実際の傾向によって形づくられる限られた厚みの本体Ｃ２を備えるエレキギターで表される弦楽器を支持して、示される。
【００９０】
この状態では、エレキギターＳ２は、アコースティック・ギターＳ１より小さい厚みの本体Ｃ２を有するので、ユーザは、互いの近くに各々のアーム１０６、１０７の顎板１０３、１０４を動かす。
【００９１】
それから目に見えないそれ自体の回転軸Ｚの周りの各々のアーム１０６、１０７、および、目に見える留め金１０８の内部の貫通孔でピンを回す楽器Ｓ２の本体Ｃ２の近くに、各々の顎板１０３、１０４を配置する。これは、ユーザがフレーム１０１に安定性のある方法でそれを固定して、主に楽器Ｓ２の本体Ｃ２の近くに１０２で一般に示される支持手段を配置するのを可能にする。
【００９２】
この観点から、発明は、図１１において示される方法において、異なる弦楽器の近くに支持手段を配置するのを可能にしない周知のタイプと同等の支持要素に関して、相当な利点を提供する。
【００９３】
図１２は、それから一般に数字２００によって示され、一般にＳ３で示される弦楽器を支持し、この特定の場合において不規則な形状の本体Ｃ３を備えるエレキギターによって表わされる発明の支持要素を示す。
【００９４】
本実施例では、ユーザは、一般に数字２０２で示される支持手段を形成しているアーム２０３、２０４のうちの１つを他のアームに関する支持面Ａ３と異なる高さで配置するので、不規則な形状の本体Ｃ３を有するにもかかわらず、ギターＳ３は、数字２０２で一般に示される前記支持手段で安定して支えられる。
【００９５】
ギターＳ３本体Ｃ３の底部Ｆ３の非対称の形状に支持手段２０２を適応させるため、アーム２０３が挿入される他の長手方向の棒２０６において得られる他の貫通孔２０５に関して支持面Ａ３と異なる高さにある全体の長手方向の棒２０７に沿って提供される貫通孔２０５のうちの１つにアーム２０４を挿入する。
【００９６】
発明によると、支持手段のアームは、その本体の構造による楽器の支持要素における安定性のある傾向を得るため、長手方向の棒から容易に放され、適当な貫通孔内部で配置される。
【００９７】
発明の支持要素は、したがってエレキまたはアコースティック・ギター、バイオリンまたは類似したもののようにいかなる弦楽器も支持することが可能な万能の手段である。
【００９８】
支持手段の調整は、現今購入することができる弦楽器の本体のいかなる厚みおよび形状に適応して、ほぼ完了する。
【００９９】
支持手段は、回転軸周辺で高さ、長さにおいて調節可能であり、支持される弦楽器の本体の厚みおよび形状にしたがって、それらの傾向を変えることができる。
【０１００】
支持要素は、いずれにしろ、弦楽器の寸法によってそれを形成する長手方向の棒の開口調整を維持する。
【０１０１】
発明の支持要素の構成の構造上の単純性は、従来技術に関してより容易かつ高速である楽器支持手段の調整システムを提供する。
【０１０２】
この開示に基づいて、発明の支持要素がすべての目的を達成し、前述のすべての利点を実現することはしたがって明らかである。
【０１０３】
実行のステップにおいて、弦楽器を支持するフレームの異なる形状において例えば構成される発明の支持要素に対する変更は、提供されることができる。
【０１０４】
その他に他の実施例において、支持および調整手段は、本発明により提供される利点を損なわずに、前述のものに関して異なる形状を有することができる。
【０１０５】
さらに、さらなる実施例において、支持要素の材料は、例えばアルミニウムのように示されたものとは異なる種であってもよい。
【０１０６】
記載および引用されるが、添付の図面、実施例に示されないものは、それらが次の請求項の保護の範囲に含まれる場合、特許によって保護される意図を有する。
【図面の簡単な説明】
【０１０７】
前記目的および利点および他の以下の説明においてよりよく詳述されるものは、添付の図面の図に関して説明的な方法で提供される本発明の好ましい実施例の説明においてよりよく強調される。
【図１】アコースティック・ギターを支持する発明の支持要素の不等角投影図である。
【図２】図１の支持要素の不等角投影分解立体図である。
【図２ａ】図２の詳細における横断面である。
【図３】図２の他の詳細の拡大下面図である。
【図４】図１の支持要素の側面図である。
【図５】図２のさらなる詳細の拡大分解正面図である。
【図６】図５の詳細の平面図である。
【図７】図５の詳細の分解側面図である。
【図８】第１の構造における図１の支持要素の不等角投影図である。
【図９】第２の構造における図１の支持要素の不等角投影図である。
【図１０】第３の構造における図１の支持要素の不等角投影図である。
【図１１】不規則な形状の本体を有するエレキギターを支持している第４の構造における図１の支持要素の不等角投影図である。
【図１２】通常の形状の本体を有するエレキギターを支持している第５の構造における図１の支持要素の不等角投影図である。
【図１】
2007523379.tif 000003
【図２】
2007523379.tif 000004
【図２ａ】
2007523379.tif 000005
【図３】
2007523379.tif 000006
【図４】
2007523379.tif 000007
【図５】
2007523379.tif 000008
【図６】
2007523379.tif 000009
【図７】
2007523379.tif 000010
【図８】
2007523379.tif 000011
【図９】
2007523379.tif 000012
【図１０】
2007523379.tif 000013
【図１１】
2007523379.tif 000014
【図１２】
2007523379.tif 000015
【手続補正書】
【提出日】平成18年10月20日(2006.10.20)
【手続補正１】
【補正対象書類名】特許請求の範囲
【補正対象項目名】全文
【補正方法】変更
【補正の内容】
【特許請求の範囲】
【請求項１】
支持面（Ａ１；Ａ２；Ａ３）に配置されるのに適切な主に垂直に配置されたフレーム（２；１０１；２０１）からなり、前記楽器（Ｓ１；Ｓ２；Ｓ３）の本体（Ｃ１；Ｃ２；Ｃ３）を受容することが可能なハウジング（４）を定義する支持手段（３；１０２；２０２）を備えた弦楽器（Ｓ１；Ｓ２；Ｓ３）のための支持要素（１；１００；２００）であって、前記支持手段の（３；１０２；２０２）の各々は、摺動して前記支持手段（３；１０２；２０２）に連結し顎板（５、６；１０３、１０４）の間の距離で連続的に変更が可能な調整手段（７）を通じて一緒に結合される相互に対向する２、３の顎板（５、６；１０３、１０４）からなり、前記顎板（５、６；１０３、１０４）の各々は、一方の側で前記ハウジング（４）に境を接している凹状表面（５ａ、６ａ）を定義する成形された本体からなることにおいて特徴付けられる支持装置。
【請求項２】
前記支持手段（３；１０２；２０２）の各々は、それが連結される前記フレーム（２；１０１；２０１）から突出するアーム（８、９；１０６、１０７；２０３、２０４）からなることにおいて特徴付けられる請求項１に記載の支持要素（１；１００；２００）。
【請求項３】
前記アーム（８、９；１０６、１０７；２０３、２０４）は、第１の継手手段（１０）により前記フレーム（２；１０１；２０１）に結合される長手方向の要素からなることにおいて特徴付けられる請求項２に記載の支持要素（１；１００；２００）。
【請求項４】
前記調整手段（７）は、前記アーム（８、９；１０６、１０７；２０３、２０４）の上部表面（８ａ）に得られる線状のガイド（１１）、前記顎板（５、６；１０３、１０４）の各々の下部の表面（６ｂ）に得られ、前記線状のガイド（１１）に挿入される線状のカウンターガイド（１２）からなることにおいて特徴付けられる請求項２に記載の支持要素（１；１００；２００）。
【請求項５】
前記調整手段（７）は、第１の前記顎板に対向する第２の前記顎板（５、６；１０３、１０４）において得られる止まり穴（１４）に摺動して挿入される前記第１の顎板（５、６；１０３、１０４）に適用されるピン（１３）をさらに備えることにおいて特徴付けられる請求項４に記載の支持要素（１；１００；２００）。
【請求項６】
前記線状のガイド（１１）は、本質的にＣ型の横断する断面外形を有することにおいて特徴付けられる請求項４に記載の支持要素（１；１００；２００）。
【請求項７】
前記線状のカウンターガイド（１２）は、本質的にＴ型の横断する断面外形を有することにおいて特徴付けられる請求項４に記載の支持要素（１；１００；２００）。
【請求項８】
前記第１の継手手段（１０）は、前記フレーム（２；１０１；２０１）と止め金で連結された止め金（１５；１０８）からなることにおいて特徴付けられる請求項３に記載の支持要素（１；１００；２００）。
【請求項９】
前記アーム（８、９；１０６、１０７；２０３、２０４）は、前記止め金（１５；１０８）において得られる貫通孔（１７）に挿入されるピン（１６）を一端（８ｂ）で備えることにおいて特徴付けられる請求項８に記載の支持要素（１；１００；２００）。
【請求項１０】
前記ピン（１６）は、前記留め金（１５；１０８）から前記アーム（８、９；１０６、１０７；２０３、２０４）の偶発的な分離を避けるため、前記貫通孔（１７）の内部壁において作成される突出した部分に対して止め金が配置される第１の相互に対向するつまみ（１８、１９）の対を突き出していることにおいて特徴付けられる請求項９に記載の支持要素（１；１００；２００）。
【請求項１１】
前記顎板（５、６；１０３、１０４）の各々は、前記フレーム（２；１０１；２０１）に、前記楽器（Ｓ１；Ｓ２；Ｓ３）を安定して保証する前記ピン（１６）によって決定される回転軸（Ｚ）のまわりを回転することによって前記楽器（Ｓ１；Ｓ２；Ｓ３）の前記本体（Ｃ１；Ｃ２；Ｃ３）に対して配置されることにおいて特徴付けられる請求項９に記載の支持要素（１；１００；２００）。
【請求項１２】
前記フレーム（２；１０１；２０１）は、継手手段（２２）によって、相互に連結される２つの長手方向の棒（２０、２１；２０６、２０７）から構成されることにおいて特徴付けられる請求項８に記載の支持要素（１；１００；２００）。
【請求項１３】
前記長手方向の棒（２０、２１；２０６、２０７）の各々は、前記長手方向の棒（２０、２１；２０６、２０７）の各々の少なくとも長さ部分に配置され、各々止め金が挿入された止め金（１５；１０８）を受容することが可能な複数の貫通孔（２３；２０５）を備えることにおいて特徴付けられる請求項１２に記載の支持要素（１；１００；２００）。
【請求項１４】
前記継手手段（２２）は、相互に貫通するため、各々がそれぞれ櫛形の長手方向の棒（２０、２１；２０６、２０７）の第２端部（２０ｂ、２１ｂ）に提供される相互に補完的な側面を作られた２、３の付加物（２４、２５）からなることにおいて特徴付けられる請求項１２に記載の支持要素（１；１００；２００）。
【請求項１５】
各々の前記側面を作られた付加物（２４、２５）は、前記側面を作られた付加物（２４、２５）のもう一方に属する前記櫛の要素（３０、３１、３２、３３）の横方向の表面にできた溝（２８、２９）に摺動して連結する前記櫛の２つの隣接する要素（３０、３１、３２、３３）の間で配置されるピン（２６、２７）からなることにおいて特徴付けられる請求項１４に記載の支持要素（１；１００；２００）。
【請求項１６】
前記溝（２８、２９）は、外側縁部（２４ａ）から、前記長手方向の棒（２０、２１；２０６、２０７）の連結のための前記ピン（２６、２７）が摺動する前記側面を作られた付加物（２４、２５）の各々の中央の部分（２４ｂ）まで延長する本質的に線状の部分（２９ａ）、および、各々の前記側面を作られた付加物（２４、２５）の前記中央の部分（２４ｂ）において作成され、０°および９０°から本質的になる角度（β）にしたがって前記長手方向の棒（２０、２１；２０６、２０７）の相互の開口を可能にするために前記ピン（２６、２７）がその中で回転する本質的に円形の形状の拡大された部分（２９ｂ）からなることにおいて特徴付けられる請求項１５に記載の支持要素（１；１００；２００）。
【請求項１７】
前記拡大された部分（２９ｂ）は、前記拡大された部分（２９ｂ）の周辺部分（１２９ｂ）に沿って作成されるステップ（３４）を備えることにおいて特徴付けられる請求項１６に記載の支持要素（１；１００；２００）。
【請求項１８】
前記ステップ（３４）は、本質的に０°および９０°から可変の外周の弧形を記載し、２つの対応する壁（３５、３６）の間で構成されることにおいて特徴付けられる請求項１７に記載の支持要素（１；１００；２００）。
【請求項１９】
前記ステップ（３４）は、前記長手方向の棒（２０、２１；２０６、２０７）間の開口を異なる位置において遮断するため、前記対向する側面を作られた付加物（２５）に属する前記ピン（２７）に隣接して配置される停止部材（３８）に連結する複数のリブ（３７）を備えることにおいて特徴付けられる請求項１７に記載の支持要素（１；１００；２００）。
【請求項２０】
前記長手方向の棒（２０、２１；２０６、２０７）の各々は、第２の継手手段（４１）によって連結される前記支持面（Ａ１；Ａ２；Ａ３）と接触して配置されるために適切な本質的に水平に配置されたベース（３９、４０）上にもたれることにおいて特徴付けられる請求項１２に記載の支持要素（１；１００；２００）。
【請求項２１】
前記第２の継手手段（４１）は、前記ベース（３９、４０）の中間部（４０ａ）に存在する空洞（４４）においてできた壁（４４ａ）において止め金で連結された前記長手方向の棒（２０、２１；２０６、２０７）の各々の第１の端部（２０ａ、２１ａ）で配置する第２の相互に対向するつまみ（４２、４３）の対からなることにおいて特徴付けられる請求項２０に記載の支持要素（１；１００；２００）。
【請求項２２】
前記長手方向の棒（２０、２１；２０６、２０７）の各々は、前記フレーム（２；１０１；２０１）上での前記楽器（Ｓ１；Ｓ２；Ｓ３）の傾斜した支持のため、垂直の基準軸（Ｙ）で鋭角（α）を定義する長手方向の軸（Ｙ’）にしたがって配置されることにおいて特徴付けられる請求項２０に記載の支持要素（１；１００；２００）。
【請求項２３】
前記ベース（３９、４０）は、前記支持面（Ａ１；Ａ２；Ａ３）上に前記フレーム（２；１０１；２０１）の正しくかつ安定性のある支持を付与するため、前記ベース（３９、４０）の前記対向端部（４０ｂ、４０ｃ）に配置される側面を作られたフィート（４８、４９）を備えることにおいて特徴付けられる請求項２０に記載の支持要素（１；１００；２００）。
【請求項２４】
前記フレーム（２；１０１；２０１）および前記支持手段（３；１０２；２０２）は、プラスチック材料でできていることにおいて特徴付けられる請求項１に記載の支持要素（１；１００；２００）。
【国際調査報告】
2007523379.tif 000016
2007523379.tif 000017
2007523379.tif 000018
2007523379.tif 000019